(57)【特許請求の範囲】
【請求項１】
トイレルームに設置される通知システムであって、
個室外に設置されるスイッチ装置と、
前記個室内に設置され、制御信号に基づき所定の通知を行う通知装置と、
前記個室の使用状態に基づき監視信号を出力する監視装置と、
前記スイッチ装置、前記通知装置、及び前記監視装置に接続され、前記監視装置から出力される監視信号と前記スイッチ装置のオンオフ状態とに基づき前記通知装置に対して所定の制御信号を出力する制御装置と、を備え、
前記スイッチ装置は、所定の順番待ち領域内に人体が物理的に存在する場合であっても、人が操作しなければ、オフ状態からオン状態へ切り替わらない通知システム。
【請求項２】
前記スイッチ装置は、
人の操作を受け付ける操作ボタン部と、
前記操作ボタン部が受け付けた人の操作によりオフ状態からオン状態へ切り替わるスイッチ本体部と、
を備える請求項１項に記載の通知システム。
【請求項３】
前記制御装置は、前記個室に空きが生じた場合、前記スイッチ装置がオン状態であれば、前記スイッチ装置をオフ状態に切り替える請求項１または２に記載の通知システム。
【請求項４】
前記トイレルームは複数の個室を有し、
前記通知装置と前記監視装置は前記複数の個室ごとに設置され、
前記制御装置は、前記スイッチ装置、前記複数の通知装置、及び前記複数の監視装置に接続され、前記複数の監視装置から出力される複数の監視信号と前記スイッチ装置のオンオフ状態とに基づき前記複数の通知装置に対して所定の制御信号を出力する請求項１または２に記載の通知システム。
【請求項５】
前記制御装置は、前記複数の個室のうちのいずれか１つに空きが生じた場合、前記スイッチ装置がオン状態であれば、前記スイッチ装置をオフ状態に切り替える請求項４に記載の通知システム。
【請求項６】
前記トイレルームは複数の個室を有し、
前記スイッチ装置は複数設置され、
前記通知装置と前記監視装置は前記複数の個室ごとに設置され、
前記制御装置は、前記複数のスイッチ装置、前記複数の通知装置、及び前記複数の監視装置に接続され、前記複数の監視装置から出力される複数の監視信号と前記複数のスイッチ装置のオンオフ状態とに基づき前記複数の通知装置に対して所定の制御信号を出力する請求項１または２に記載の通知システム。
【請求項７】
前記制御装置は、前記複数の個室のうちのいずれか１つに空きが生じた場合、前記複数のスイッチ装置の少なくとも１つがオン状態であれば、そのオン状態であるスイッチ装置の１つをオフ状態に切り替える請求項６に記載の通知システム。
【請求項８】
便器が設置された個室の外に設置されるスイッチ装置と、
前記個室内に設置され、制御信号に基づき所定の通知を行う通知装置と、
前記個室の使用状態に基づき監視信号を出力する監視装置と、
前記スイッチ装置、前記通知装置、及び前記監視装置に接続され、前記監視装置から出力される監視信号と前記スイッチ装置のオンオフ状態とに基づき前記通知装置に対して所定の制御信号を出力する制御装置と、を備え、
前記スイッチ装置は、所定の順番待ち領域内に人体が物理的に存在する場合であっても、人が操作しなければ、オフ状態からオン状態へ切り替わらない通知システム。
【発明の詳細な説明】
【技術分野】
【０００１】
本開示は、通知システムに関し、特に、トイレルームに設置される通知システムに関する。
【背景技術】
【０００２】
トイレルーム内の共通スペースに順番待ち領域を設け、当該領域に存在する人体の有無をタグリーダやセンサなどにより認識する表示システムが知られている（特許文献１参照）。認識結果に関する情報は外部情報として個室内に提供される。
【先行技術文献】
【特許文献】
【０００３】
【特許文献１】特開２００８−１２６０４２号公報
【発明の概要】
【発明が解決しようとする課題】
【０００４】
しかしながら、上記従来の表示システムでは、個室の順番待ちとは無関係な人が順番待ち領域に誤って立ち入ると、個室内に誤った情報が提供される虞がある。
【課題を解決するための手段】
【０００５】
上記の課題は、例えば、次の手段により解決することができる。トイレルームに設置される通知システムであって、個室外に設置され、人の操作によりオフ状態からオン状態へ切り替わるスイッチ装置と、前記個室内に設置され、制御信号に基づき所定の通知を行う通知装置と、前記個室の使用状態に基づき監視信号を出力する監視装置と、前記スイッチ装置、前記通知装置、及び前記監視装置に接続され、前記監視装置から出力される監視信号と前記スイッチ装置のオンオフ状態とに基づき前記通知装置に対して所定の制御信号を出力する制御装置と、を備えた通知システム。
【発明の効果】
【０００６】
上記の通知システムによれば、トイレルームにおいて、個室の利用者に対し、個室の順番待ち状況に関して信頼性のある通知を行うことができる。
【図面の簡単な説明】
【０００７】
【図１】実施形態１に係る通知システムが設置されたトイレルームの一例を示す模式的上面図である。
【図２】実施形態１に係る通知システムの模式的構成図である。
【図３】実施形態１に係る制御装置の動作例を説明する図である。
【図４】実施形態２に係る通知システムが設置されたトイレルームの一例を示す模式的上面図である。
【図５】実施形態２に係る通知システムの模式的構成図である。
【図６】実施形態２に係る制御装置の動作例を説明する図である。
【図７】実施形態３に係る通知システムが設置されたトイレルームの一例を示す模式的上面図である。
【図８】実施形態３に係る通知システムの模式的構成図である。
【図９】実施形態３に係る制御装置の動作例を説明する図である。
【発明を実施するための形態】
【０００８】
［実施形態１に係る通知システム１］
図１は実施形態１に係る通知システムが設置されたトイレルームの一例を示す模式的上面図であり、図２は実施形態１に係る通知システムの模式的構成図である。図１、図２に示すように、実施形態１に係る通知システム１は、トイレルーム１００に設置される通知システムであって、個室１１０外に設置され、人の操作によりオフ状態からオン状態へ切り替わるスイッチ装置１０と、個室１１０内に設置され、制御信号に基づき所定の通知を行う通知装置２０と、個室１１０の使用状態に基づき監視信号を出力する監視装置３０と、スイッチ装置１０、通知装置２０、及び監視装置３０に接続され、監視装置３０から出力される監視信号とスイッチ装置１０のオンオフ状態とに基づき通知装置２０に対して所定の制御信号を出力する制御装置４０と、を備えた通知システムである。以下、詳細に説明する。
【０００９】
（トイレルーム１００）
トイレルーム１００は商業ビル内や空港内などの建物内に設けられる。男性用のトイレルームであってもよいし女性用のトイレルームであってもよい。特定の少数の人に利用されるトイレルームであってもよいが、不特定多数の人に利用されるトイレルームであることが好ましい。トイレルーム１００は個室１１０を有しており、個室１１０内には例えば大便器１３０が設置されている。個室１１０の数は特に限定されないが、本実施形態では１つであるものとする。個室１１０は個室１１０の内側から施錠が可能な扉１４０を有している。個室１１０外には小便器１５０や洗面台１６０などが設けられていてもよい。
【００１０】
（スイッチ装置１０）
スイッチ装置１０は個室１１０外に設置される。個室１１０外であれば、トイレルーム１００内のどこに設置されていてもよいが、トイレルーム１００の出入口１２０の近傍に設置すれば（図１参照）、個室１１０の順番待ちをする人がスイッチ装置１０を見つけやすくなる。また、トイレルーム１００の奥側にスイッチ装置１０を設置すれば（図４、図７参照）、個室１１０の順番待ちをする人を所定の領域Ｌに整列させてトイレルーム１００内に秩序をもたらすとともに、順番を抜かすなどの不正を効果的に防止することができる。トイレルーム１００の奥側に設置されたスイッチ装置１０の存在を契機にして、順番待ちをする人々により形成された行列の最後列に並び、スイッチ装置１０の操作が可能となる最前列になるまで待機することが動機づけられるからである。なお、トイレルーム１００の奥側にスイッチ装置１０を設置する場合には、トイレルーム１００の出入口１２０の近傍に、「個室をご使用の方は、こちらにお並び下さい」などの文字を表示する表示部を設けることが好ましい。このようにすれば、より一層、個室１１０の順番待ちをする人に対して、所定の領域Ｌに整列することを動機づけることができる。なお、表示部の構成は特に限定されない。
【００１１】
スイッチ装置１０は人の操作によりオフ状態からオン状態へ切り替わる。人の操作とは押し下げやタッチなどをいい、スイッチ装置１０が後述する操作ボタン部１０ａを備える場合には、操作ボタン部１０ａを押し下げたり操作ボタン部１０ａをタッチしたりなどすることをいう。このように、人の操作によりオフ状態からオン状態へ切り替わるスイッチ装置１０を個室１１０外に設ければ、個室１１０の順番待ちをする人がスイッチ装置１０を操作することにより、個室の順番待ち状況をスイッチ装置１０のオンオフ状態に正確に反映させることができる。したがって、個室１１０の利用者に対し、個室１１０の順番待ち状況に関して信頼性のある通知を行うことが可能になる。なお、特に限定されるわけではないが、オフ状態とは、例えば、後述するスイッチ本体部１４が開いてスイッチ装置１０から制御装置４０へ電流が流れない状態や、所定の信号がスイッチ装置１０から制御装置４０へ出力される状態などをいう。また、オン状態とは、例えば、後述するスイッチ本体部１４が閉じてスイッチ装置１０から制御装置４０へ電流が流れる状態や、オフ状態とは異なる信号がスイッチ装置１０から制御装置４０へ出力される状態をいう。
【００１２】
スイッチ装置１０の表面や近傍などには、「個室をご使用の方は、ボタンを押した後、こちらにお並び下さい」や「個室の順番待ち用ボタン」などの文字を表示する表示部を設けることが好ましい。このようにすれば、個室１１０の順番待ちをする人に対してスイッチ装置１０に対する操作を促すことができるとともに、個室１１０の順番待ちとは無関係な人がスイッチ装置１０を誤って操作することを防止することができる。また、スイッチ装置１０の存在を契機にして、個室１１０の順番待ちをする人を所定の領域Ｌに整列させてトイレルーム１００内に秩序をもたらすとともに、順番を抜かすなどの不正を効果的に防止することができる。
【００１３】
スイッチ装置１０は、人の操作を受け付ける操作ボタン部１２と、操作ボタン部１２が受け付けた人の操作によりオフ状態からオン状態へ切り替わるスイッチ本体部１４と、を備えていることが好ましい。このようにすれば、オフ状態からオン状態への切り替わりをより確実に人の操作に起因させることができる。また、スイッチ装置１０において、人の操作を見逃すことなく確実に受け付けることができる。
【００１４】
操作ボタン部１２が受け付けた人の操作は、スイッチ本体部１４がオン状態である場合には無効にしてもよいし、有効にしてもよい。無効にする場合には、スイッチ本体部１４がオフ状態である場合には操作ボタン部１２が受け付けた人の操作によってスイッチ本体部１４がオン状態に切り替わるが、スイッチ本体部１４がオン状態である場合には、操作ボタン部１２が受け付けた人の操作が無効になり、スイッチ本体部１４はオン状態のままとなる。したがって、スイッチ本体部１４のオン状態が操作ボタン部１２に対する誤操作により誤って解除されることを防止することができる。
【００１５】
他方、有効にする場合には、スイッチ本体部１４がオフ状態である場合には操作ボタン部１２が受け付けた人の操作によりスイッチ本体部１４がオン状態に切り替わり、スイッチ本体部１４がオン状態である場合には操作ボタン部１２が受け付けた人の操作によりスイッチ本体部１４がオフ状態に切り替わる。したがって、操作ボタン部１２に対する誤操作によりスイッチ本体部１４が誤ってオン状態に切り替えられた場合には、操作ボタン部１２に対する操作によりこれを解除することができる。
【００１６】
スイッチ装置１０にはタッチ式や押下げ式などの様々な機構を有するものを用いることができる。なお、いうまでもなく、所定の領域に人体が存在するかどうかを認識するタグリーダ、センサ、画像認識装置などは、スイッチ装置１０に含まれない。
【００１７】
スイッチ装置１０は、例えば、スイッチ装置１０がオン状態である場合には点灯し、スイッチ装置１０がオフ状態である場合には消灯するランプを備えていることが好ましい。このようにすれば、スイッチ装置１０のオンオフ状態をひと目で判断することができる。
【００１８】
スイッチ装置１０の表面や近傍には、例えば、各種の情報などを表示するディスプレイが設置されていることが好ましい。スイッチ装置１０は個室１１０の順番待ちをする人により操作される装置であるため、スイッチ装置１０の表面や近傍において情報を表示すれば、個室１１０の順番待ちをする人の目に止まりやすい形で情報提供を行うことができる。なお、表示される情報の内容は特に限定されるものではないが、例えば、トイレルーム１００が設けられている建物などに関する情報、当該建物内の店や施設などに関する情報、天気予報、時事ニュースなどは当該情報の一例である。
【００１９】
スイッチ装置１０は、オン状態が所定の時間を超えて継続する場合、自発的に、あるいは制御装置４０から出力される命令信号に基づいて、オン状態からオフ状態へ切り替わることが好ましい。このようにすれば、個室１１０の順番待ちをする人が何らかの理由によって個室１１０の使用を諦めた場合などに、個室１１０の順場待ち状況をスイッチ装置１０のオンオフ状態に正確に反映させることができる。なお、所定の時間は、例えば、上記の切り替えがスイッチ装置１０により自発的に実行される場合にはスイッチ装置１０により計測され、上記の切り替えが制御装置４０から出力される命令信号に基づき実行される場合には制御装置４０により計測される。所定の時間は、特に限定されるものではないが、例えば、３０秒、４５秒、１分、３分などである。
【００２０】
（通知装置２０）
通知装置２０は個室１１０内に設置される。通知装置２０には、ディスプレイ、スピーカ、ランプ、個室１１０内の大便器１３０を微振動させる装置、あるいはこれらを組み合わせたものなどを用いることができる。
【００２１】
通知装置２０は、制御装置４０から出力される制御信号に基づき所定の通知を行う。所定の通知の態様は特に限定されるものでないが、例えば、「他に待っている方がいます。個室での携帯等のご使用は控え、円滑なご使用をお願いします」などの文字の表示、図柄の表示、音声や音の出力、ランプの点灯、個室１１０内の大便器１３０を微振動させること、またはこれらの組み合わせなどは当該通知の一例である。
【００２２】
近年は、スマートフォンなどの普及により、個室１１０の利用者が、用を足した後も個室１１０内でメールや各種のメッセージングサービスなどを行い、個室１１０からなかなか出てこないことがある。この点、たとえ個室１１０の順番待ち状況に関して通知がなされたとしても、当該通知が不正確で信頼できない場合には、当該通知が個室１１０の利用者に無視されてしまう虞がある。しかしながら、本実施形態によれば、個室１１０の順番待ち状況が正確に反映されたスイッチ装置１０のオンオフ状態に基づき通知が行われるため、個室１１０の利用者に対し、個室１１０の順番待ち状況に関して信頼性のある通知を行うことができる。したがって、個室１１０の利用者に対し、個室１１０の順場待ち状況に応じて、無視し難く実効性がある通知をもって、用を足した後は速やかに個室１１０から退出するよう促すことができる。
【００２３】
（監視装置３０）
監視装置３０は個室１１０の使用状態に応じて監視信号を出力する装置である。使用状態には「使用中」または「不使用」の２種類の状態がある。例えば、個室１１０内に存在する人体の有無を監視し、人体が存在する場合には「使用中」を示す監視信号を出力し、人体が存在しない場合には「不使用」を示す監視信号を出力するセンサなどの装置は、監視装置３０の一例である。また、個室１１０が有する扉１４０の開閉を監視し、扉１４０が閉まっている場合には「使用中」を示す監視信号を出力し、扉１４０が開いている場合には「不使用」を示す監視信号を出力するセンサやスイッチなどの装置は、監視装置３０の一例である。監視装置３０は、例えば、個室１１０内の壁、個室１１０上の天井、個室１１０内の大便器１３０、個室１１０が有する扉１４０などに設置することができる。
【００２４】
（制御装置４０）
制御装置４０は、スイッチ装置１０、通知装置２０、及び監視装置３０に接続されている。接続は有線接続でもよいし無線接続でもよい。制御装置４０は、例えば、ＩＣチップやサーバコンピュータなどを用いて構成することができる。なお、本実施形態では、トイレルーム１００内に制御装置４０が設けられるものとするが、制御装置４０はトイレルーム１００外に設けられてもよい。
【００２５】
図３は実施形態１に係る制御装置の動作例を説明する図である。図３に示すように、制御装置４０は、監視装置３０から出力される監視信号とスイッチ装置１０のオンオフ状態とに基づき、通知装置２０に対して所定の制御信号を出力する。例えば、スイッチ装置１０の状態はオン状態とオフ状態の２種類であるので、監視装置３０から２種類の監視信号（使用中、不使用）が出力される場合には、合計４種類（４＝２×２）の状況１から状況４が存在することになる。そこで、制御装置４０は、状況１である場合には「通知あり」を示す制御信号を通知装置２０に対して出力し、状況２、３、４である場合には「通知なし」を示す制御信号を通知装置２０に対して出力する。通知装置２０は、制御装置４０から「通知あり」を示す制御信号が出力された場合には所定の通知を行い、制御装置４０から「通知なし」を示す制御信号が出力された場合には所定の通知を行わない。
【００２６】
「通知あり」を示す制御信号や「通知なし」を示す制御信号は一例であり、制御信号の内容はこれに限定されない。制御装置３０は、例えば、通知装置により通知Ａと通知Ｂの２種類の通知を行うことができる場合には、「通知Ａ」を示す制御信号や、「通知Ｂ」を示す制御信号や、「通知Ａと通知Ｂ」を示す制御信号などを出力してもよい。この場合、通知装置は、「通知Ａ」を示す制御信号が出力される場合には通知Ａを行い、「通知Ｂ」を示す制御信号が出力される場合には通知Ｂを行い、「通知Ａと通知Ｂ」を示す制御信号が出力される場合には通知Ａと通知Ｂを同時または順次に行う。
【００２７】
（通知システム１の動作例）
次に、図３に基づき、実施形態１に係る通知システム１の動作例について説明する。ここでは、スイッチ装置１０の初期値がオフ状態であるものとする。
【００２８】
まず、トイレルーム１００が誰にも利用されていない状況４を想定する。この場合、制御装置４０からは「通知なし」を示す制御信号が出力され、通知装置２０は所定の通知を行わない。
【００２９】
次に、トイレルーム１００に人が入ってきて、個室１１０が使用されたとする。この場合は、監視信号が「不使用」を示す監視信号から「使用中」を示す監視信号に変化するため、状況は状況４から状況２に変化する。したがって、制御装置４０からは「通知なし」を示す制御信号が出力され、通知装置２０は所定の通知を行わない。
【００３０】
次に、トイレルーム１００に、個室１１０の使用を希望する人が入ってきて、スイッチ装置１０を操作し、個室１１０の順番待ちをするものとする。この場合、スイッチ装置１０がオフ状態からオン状態に切り替わるため、状況が状況２から状況１に変化する。したがって、制御装置４０からは「通知あり」を示す制御信号が出力され、通知装置２０は所定の通知を行う。
【００３１】
次に、個室１１０の利用者が、用を足し終え、個室１１０から退出したとする。この場合、監視信号が「使用中」を示す監視信号から「不使用」を示す監視信号に変化するため、状況は状況１から状況３に変化する。したがって、制御装置４０からは「通知なし」を示す制御信号が出力され、通知装置２０は所定の通知を行わない。
【００３２】
制御装置４０は、個室１１０に空きが生じた場合、スイッチ装置１０がオン状態であれば、スイッチ装置１０をオフ状態に切り替えることが好ましい。このようにすれば、個室１１０の順番待ちをしていた人の操作を要することなく、スイッチ装置１０をオン状態からオフ状態へ自動的に切り替えることができる。以下では、上記制御装置４０によりスイッチ装置１０がオン状態からオフ状態へ自動的に切り替えられ、状況が状況３から状況４に自動的に変化したものとして説明を続ける。なお、制御装置４０は、個室１１０に空きが生じたかどうかを監視信号に基づき判断することが好ましい。制御装置４０は、例えば、監視信号が「使用中」から「不使用」へ変化した場合に、個室１１０に空きが生じたと判断して上記の切り替えを行うことができる。
【００３３】
次に、個室１１０の順番待ちをしている人が個室１１０に入室したとする。この場合、監視信号が「不使用」を示す監視信号から「使用中」を示す監視信号に変化するため、状況は状況４から状況２に変化する。したがって、制御装置４０からは「通知なし」を示す制御信号が出力され、通知装置２０は所定の通知を行わない。
【００３４】
以上説明したように、本実施形態に係る通知システム１によれば、トイレルーム１００において、個室１１０の利用者に対し、個室１１０の順番待ち状況に関して信頼性のある通知を行うことができる。したがって、個室１１０の利用者に対し、個室１１０の順場待ち状況に応じて、無視し難く実効性がある通知をもって、用を足した後は速やかに個室１１０から退出するよう促すことができる。
【００３５】
［実施形態２に係る通知システム２］
図４は実施形態２に係る通知システムが設置されたトイレルームの一例を示す模式的上面図であり、図５は実施形態２に係る通知システムの模式的構成図である。図４、図５に示すように、実施形態２に係る通知システム２は、トイレルーム１００が複数の個室１１０を有し、通知装置２０と監視装置３０が複数の個室１１０ごとに設置され、制御装置４０が、スイッチ装置１０、複数の通知装置２０、及び複数の監視装置３０に接続され、複数の監視装置３０から出力される複数の監視信号１、２、３とスイッチ装置１０のオンオフ状態とに基づき複数の通知装置２０に対して所定の制御信号を出力する点で、実施形態１に係る通知システム１と相違する。このように、トイレルーム１００が複数の個室１１０を有する場合には、通知装置２０と監視装置３０を複数設置することができる。
【００３６】
図６は実施形態２に係る制御装置の動作例を説明する図である。図６に示すように、スイッチ装置１０はオン状態とオフ状態の２種類の状態を有する。また、監視信号の数は３つであり（監視信号１、監視信号２、監視信号３）、各監視信号は「使用中」と「不使用」のいずれかを示す。したがって、合計１６種類（１６＝２×２×２×２）の状況１から状況１６が存在することになる。そこで、制御装置４０は、これら各種の状況に基づき制御信号を出力する。なお、本実施形態では、すべての通知装置２０に対して同じ制御信号が出力されるが、例えば、３つの通信装置２０のうちの２つには「通知あり」を示す制御信号を出力し、３つの通知装置２０の１つには「通知なし」を示す制御信号を出力するなどのように、通知装置２０によって制御信号の内容を異ならしめてもよい。
【００３７】
本実施形態では、スイッチ装置１０がオン状態である場合でも、複数の監視信号のうちのいずれか１つが「不使用」を示していれば、「通知なし」の制御信号が制御装置４０から出力され、通知装置２０は所定の通知を行わない。しかしながら、「不使用」を示す監視信号が、大便器１３０の故障や大便器１３０が汚れているなどの理由により個室１１０が使用されていない場合にも出力される場合には、スイッチ装置１０がオン状態である限り、「通知あり」の制御信号を制御装置４０から出力し、通知装置２０に所定の通知を行わせることができる。このようにすれば、個室１１０の利用者に対して、より一層、個室１１０の順番待ち状況が正解に反映された信頼性のある通知を行うことができる。
【００３８】
制御装置４０は、複数の個室１１０のうちのいずれか１つに空きが生じた場合、スイッチ装置１０がオン状態であれば、スイッチ装置１０をオフ状態に切り替えることが好ましい。このようにすれば、個室１１０の順番待ちをしていた人の操作を要することなく、スイッチ装置１０をオン状態からオフ状態へ自動的に切り替えることができる。なお、制御装置４０は、複数の個室１１０のうちのいずれか１つに空きが生じたかどうかを、複数の監視信号１、２、３に基づき判断することが好ましい。制御装置４０は、例えば、複数の監視信号１、２、３のいずれか１つが「使用中」から「不使用」へ変化した場合に、複数の個室１１０のうちのいずれか１つに空きが生じたと判断して上記の切り替えを行うことができる。
【００３９】
本実施形態では、個室１１０、通知装置２０、及び監視装置３０がそれぞれ３つずつ設置されるものとしたが、これは一例であり、これらの数は３つに限定されるものではない。
【００４０】
［実施形態３に係る通知システム３］
図７は実施形態３に係る通知システムが設置されたトイレルームの一例を示す模式的上面図であり、図８は実施形態３に係る通知システムの模式的構成図である。図７、図８に示すように、実施形態３に係る通知システム３は、トイレルーム１００が複数の個室１１０を有し、スイッチ装置１０が複数設置され、通知装置２０と監視装置３０が複数の個室１１０ごとに設置され、制御装置４０が、複数のスイッチ装置１０、複数の通知装置２０、及び複数の監視装置３０に接続され、複数の監視装置３０から出力される複数の監視信号１、２、３と複数のスイッチ装置１０のオンオフ状態とに基づき複数の通知装置２０に対して所定の制御信号を出力する点で、実施形態１に係る通知システム１と相違する。このように、トイレルーム１００が複数の個室１１０を有する場合には、スイッチ装置１０、通知装置２０、及び監視装置３０を複数設置することができる。
【００４１】
図９は、実施形態３に係る制御装置の動作例を説明する図である。図９では、３つのスイッチ装置１０を、スイッチ装置１０（１）、スイッチ１０装置（２）、及びスイッチ装置１０（３）として示している。図９に示すように、３つのスイッチ装置１０（１）、１０（２）、１０（３）はそれぞれオン状態とオフ状態の２種類の状態を有する。また、監視信号の数は３つであり（監視信号１、監視信号２、監視信号３）、各監視信号は「使用中」と「不使用」のいずれかを示す。したがって、合計６４種類（６４＝２×２×２×２×２×２）の状況１から状況６４が存在することになる。そこで、制御装置４０は、これら各種の状況に基づき制御信号を出力する。なお、本実施形態では、すべての通知装置２０に対して同じ制御信号が出力されるが、例えば、３つの通信装置２０のうちの２つには「通知あり」を示す制御信号を出力し、３つの通知装置２０の１つには「通知なし」を示す制御信号を出力するなどのように、通知装置２０によって制御信号の内容を異ならしめてもよい。
【００４２】
本実施形態では、複数のスイッチ装置１０のいずれか１つがオン状態である場合でも、複数の監視信号のうちのいずれか１つが「不使用」を示していれば、「通知なし」の制御信号が制御装置４０から出力され、通知装置２０は所定の通知を行わない。しかしながら、「不使用」を示す監視信号が、大便器１３０の故障や大便器１３０が汚れているなどの理由により個室１１０が使用されていない場合にも出力される場合には、複数のスイッチ装置１０のいずれか１つがオン状態である限り、「通知あり」の制御信号を制御装置４０から出力し、通知装置２０に所定の通知を行わせることができる。このようにすれば、個室１１０の利用者に対して、より一層、個室１１０の順番待ち状況が正解に反映された信頼性のある通知を行うことができる。
【００４３】
制御装置４０は、複数の個室１１０のうちのいずれか１つに空きが生じた場合、複数のスイッチ装置１０の少なくとも１つがオン状態であれば、そのオン状態であるスイッチ装置１０の１つをオフ状態に切り替えることが好ましい。このようにすれば、個室１１０の順番待ちをしていた人の操作を要することなく、オン状態であるスイッチ装置１０の１つをオフ状態に切り替えることができる。なお、制御装置４０は、複数の個室１１０のうちのいずれか１つに空きが生じたかどうかを、複数の監視信号１、２、３に基づき判断することが好ましい。制御装置４０は、例えば、複数の監視信号１、２、３のいずれか１つが「使用中」から「不使用」へ変化した場合に、複数の個室１１０のうちのいずれか１つに空きが生じたと判断して上記の切り替えを行うことができる。
【００４４】
本実施形態では、個室１１０、スイッチ装置１０、通知装置２０、及び監視装置３０がそれぞれ３つずつ設置されるものとしたが、これは一例であり、これらの数は３つに限定されるものではない。
【００４５】
以上、実施形態について説明したが、これらの説明は特許請求の範囲に記載された構成を何ら限定するものではない。
【符号の説明】
【００４６】
１、２、３  通知システム
１０        スイッチ装置
１２        操作ボタン部
１４        スイッチ本体部
２０        通知装置
３０        監視装置
４０        制御装置
１００      トイレルーム
１１０      個室
１２０      トイレルームの出入口
１３０      大便器
１４０      扉
１５０      小便器
１６０      洗面台
Ｌ          所定の領域
【図１】
0006796916.tif 000002
【図２】
0006796916.tif 000003
【図３】
0006796916.tif 000004
【図４】
0006796916.tif 000005
【図５】
0006796916.tif 000006
【図６】
0006796916.tif 000007
【図７】
0006796916.tif 000008
【図８】
0006796916.tif 000009
【図９】
0006796916.tif 000010